(57)【要約】【課題】洗濯機の脚部の内側への落下を防止する。【解決手段】洗濯機用防水パン１０は、板状の底部１１と、底部１１の外周部に立設され、洗濯機６０の脚部６１を載置可能な支持面１６を有する台座部１３とを備える。台座部１３の支持面１６の内側には、脚部６１と当接してこの脚部６１のそれ以上内側への移動を規制する内側リブ２５が突設されている。洗濯機６０が振動したときに、脚部６１が内側リブ２５と当接してそれ以上内側への移動が規制されるから、脚部６１の底部１１側への落下が防止される。【選択図】図１
2010185251.tif 000002
【特許請求の範囲】
【請求項１】
板状の底部と、前記底部の外周部に立設され、洗濯機の脚部を載置可能な支持面を有する台座部とを備えた洗濯機用防水パンであって、
前記台座部の支持面の底部側には、前記脚部と当接してこの脚部のそれ以上底部側への移動を規制するリブが突設されていることを特徴とする洗濯機用防水パン。
【請求項２】
前記底部が四角形をなし、前記台座部が前記底部の四隅に設けられ、前記底部には排水口が開口して形成されていることを特徴とする請求項１記載の洗濯機用防水パン。
【請求項３】
前記台座部の支持面には、外側に下り勾配で傾斜する斜面が形成されていることを特徴とする請求項１又は２記載の洗濯機用防水パン。
【請求項４】
前記底部の外周縁には、側部が立設され、前記台座部と前記側部との間には、前記支持面の外縁に沿って延びて前記底部側に臨む溝部が形成され、前記斜面は、前記溝部に向けて傾斜する形態とされていることを特徴とする請求項３記載の洗濯機用防水パン。
【請求項５】
前記底部の外周縁には、側部が立設され、前記側部と前記リブとの間には、通路部が開口して形成され、前記斜面は、前記通路部に向けて傾斜する形態とされていることを特徴とする請求項３記載の洗濯機用防水パン。
【請求項６】
前記台座部の支持面には、内側に下り勾配で傾斜する斜面が形成され、
前記リブには、前記斜面に連なる切欠部が貫通して形成されていることを特徴とする請求項１又は２記載の洗濯機用防水パン。
【発明の詳細な説明】
【技術分野】
【０００１】
本発明は、洗濯機用防水パンに関する。
【背景技術】
【０００２】
洗濯機が載せられる防水パンとして、特許文献１に記載のものが知られている。これは、四角形状の底部と、底部の四隅に立設されて洗濯機の脚部を受ける台座部とを備えている。底部の外周縁には側部が立設され、台座部の外周縁には側部から連続して縁取部が突設されている。
【先行技術文献】
【特許文献】
【０００３】
【特許文献１】特開２００８−８８６３０号公報
【発明の概要】
【発明が解決しようとする課題】
【０００４】
ところで、洗濯機が振動によって正規の載置位置から位置ずれすると、脚部が台座部から落ちるおそれがあった。その点、上記の構成によれば、脚部が台座部から外側に落ちるのは縁取部によって防止された。しかし、脚部間の間隔が狭く、振動によって脚部が台座部上を摺動し得る場合には、脚部が台座部の内縁から底部の底面に落ちる可能性があり、こうした脚部の底部側への落下を防止するための対策が求められていた。
【０００５】
本発明は、上記のような事情に基づいて完成されたものであって、洗濯機の脚部の底部側への落下を防止することを目的とする。
【課題を解決するための手段】
【０００６】
上記の目的を達成するための手段として、請求項１の発明は、板状の底部と、前記底部の外周部に立設され、洗濯機の脚部を載置可能な支持面を有する台座部とを備えた洗濯機用防水パンであって、
前記台座部の支持面の底部側には、前記脚部と当接してこの脚部のそれ以上底部側への移動を規制するリブが突設されているところに特徴を有する。
【０００７】
これによれば、洗濯機が振動したときに、脚部がリブと当接してそれ以上内側への移動が規制されるから、脚部の底部側への落下が防止される。
【０００８】
請求項２の発明は、請求項１に記載のものにおいて、前記底部が四角形をなし、前記台座部が前記底部の四隅に設けられ、前記底部には排水口が開口して形成されているところに特徴を有する。
【０００９】
このように、台座部が四角形の底部の四隅に設けられることで、底部には四隅以外の部分で大きなスペースが確保されるから、底部からの溢水が防止されるとともに、底部上における排水管等の取り回しが良好となる。
【００１０】
請求項３の発明は、請求項１又は２に記載のものにおいて、前記台座部の支持面には、外側に下り勾配で傾斜する斜面が形成されているところに特徴を有する。
【００１１】
支持面上に落下した水は、斜面を下って外側に流れるため、リブによってせき止められることはない。また、水が支持面上のゴミを流すことで、支持面の外側にゴミが集まることになるため、支持面の内側に集まるよりも、使用者がゴミを取り出して廃棄しやすい。
【００１２】
請求項４の発明は、請求項３に記載のものにおいて、前記底部の外周縁には、側部が立設され、前記台座部と前記側部との間には、前記支持面の外縁に沿って延びて前記底部側に臨む溝部が形成され、前記斜面は、前記溝部に向けて傾斜する形態とされているところに特徴を有する。
【００１３】
こうすると、支持面上に落下した水は、斜面から溝部を経て底部側へ円滑に流れるから、水はけが良好となる。
【００１４】
請求項５の発明は、請求項３に記載のものにおいて、前記底部の外周縁には、側部が立設され、前記側部と前記リブとの間には、通路部が開口して形成され、前記斜面は、前記通路部に向けて傾斜する形態とされているところに特徴を有する。
【００１５】
こうすると、支持面上に落下した水は、斜面から通路部を経て底部側へ円滑に流れるから、水はけが良好となる。
【００１６】
請求項６の発明は、請求項１又は２に記載のものにおいて、前記台座部の支持面には、内側に下り勾配で傾斜する斜面が形成され、前記リブには、前記斜面に連なる切欠部が貫通して形成されているところに特徴を有する。
【００１７】
こうすると、支持面上に落下した水は、斜面を下って内側に流れ、さらに切欠部を経て底部側へ円滑かつ迅速に流れるから、水はけが良好となる。
【図面の簡単な説明】
【００１８】
【図１】実施例１の洗濯機用防水パンの斜視図である。
【図２】洗濯機用防水パンの台座部の拡大斜視図である。
【図３】図２のＡ−Ａ断面図である。
【図４】実施例２の洗濯機用防止パンの斜視図である。
【図５】実施例３の洗濯機用防水パンの斜視図である。
【図６】実施例４の洗濯機用防止パンの斜視図である。
【発明を実施するための形態】
【００１９】
＜実施例１＞
本発明の実施例１を図１ないし図３によって説明する。実施例１に係る洗濯機用防水パン１０は、合成樹脂製であって、図１に示すように、四角形の底部１１と、底部１１の外周縁に立設される側部１２と、底部１１の四隅に立設される四つの台座部１３とからなる。防水パン１０の内部には、底部１１の底面、各台座部１３の内側面及び側部１２の内側面によって凹部１４が画成されている。
【００２０】
側部１２は、底部１１の外周を全周に亘って取り囲む形態とされ、その上縁がほぼ同一高さで連なっている。底部１１の一辺寄りの位置における同辺寄りの台座部１３間には、排水口１５が開口して形成されている。排水口１５には、洗濯機６０の排水ホースに接続された排水トラップのエルボが挿入されるようになっている。
【００２１】
各台座部１３は、平面視四角形であって底部１１から底上げされるとともに、側部１２から膨出される形態とされ、その上面が洗濯機６０の底面の四隅に設けれらた脚部６１（図３を参照）を受ける支持面１６とされている。各支持面１６には、図２に示すように、台座部１３の各辺とほぼ平行に延び、全体として格子状をなす線状溝１７が形成されている。線状溝１７は、支持面１６上に載置された脚部６１の滑り止めとしての役割をはたしている。
【００２２】
また、各支持面１６には、脚部６１を支持する上で支障のない程度に緩やかな傾斜がつけられている。詳しくは、支持面１６には、図３に示すように、その内縁を頂部としてそこから外縁にかけて次第に下り勾配となる斜面１８が構成されている。支持面１６上に落ちた水は斜面１８に沿って流れるようになっている。
【００２３】
各台座部１３の外側（底部１１の中心部から離れる側）は側部１２によって包囲され、支持面１６の高さは側部１２の上縁よりも低くされている。台座部１３の外周を取り囲む側部１２のうち支持面１６よりも上方に突出する部分は、脚部６１の外側への落下を防止するための外側リブ２１とされている。
【００２４】
各外側リブ２１と各台座部１３との間には、支持面１６の側部１２寄りの二つの外縁に沿って延びる一対の溝部２２が形成されている。各溝部２２の一端は、防水パン１０の角部の近傍にて閉止される閉止端２４とされ、各溝部２２の他端は、台座部１３の内側面に開口して底部１１側に臨む開口端２３とされている。溝部２２は外側リブ２１の内側面を切り欠く形態とされ、この溝部２２の深さ分、外側リブ２１は他の側部１２よりも薄肉とされている一方、支持面１６のスペースが大きく確保されている。また、上記の斜面１８は溝部２２に向けて傾斜する形態とされ、斜面１８を下った水は、溝部２２に受けられて開口端２３側に流れ、さらに開口端２３から底部１１の底面に流れ落ちるようになっている。
【００２５】
そして、各支持面１６の内側（底部１１の中心部に近づく側）には、脚部６１の内側への落下を防止するための内側リブ２５が突設されている。内側リブ２５は、外側リブ２１よりも薄肉でかつ低背とされ、支持面１６の内縁に沿って連続して延びる形態とされている。詳しくは内側リブ２５は、支持面１６の内側の一角とこれを挟む二辺とにまたがって配され、平面視略Ｌ字形をなしている。内側リブ２５の両端は、溝部２２の近傍に達しており、溝部２２を挟んで外側リブ２１との間に隙間が保有されている。
【００２６】
次に、実施例１に係る防水パン１０の作用効果を説明する。  
各台座部１３の支持面１６上に洗濯機６０の脚部６１が載せられ、その状態で洗濯機６０が使用される。この場合に、洗濯機６０の振動によって脚部６１が支持面１６を摺動して支持面１６の外縁に至ると、脚部６１は、その外側で外側リブ２１と当接してそれ以上外側への移動が規制されるため、防水パン１０から外側に落ちるのが防止される。
【００２７】
もっとも、脚部６１間の間隔が狭い洗濯機６０の場合には、脚部６１が台座部１３の支持面１６から底部１１の底面に落ちることが懸念される。その点、実施例１によれば、脚部６１が支持面１６上を摺動して支持面１６の内縁に至ると、脚部６１は、その内側で内側リブ２５と当接してそれ以上内側への移動が規制されるため、底部１１側への落下が防止される。したがって、台座部１３上に脚部６１が確実に載置され、洗濯機６０が防水パン１０によって安定して支持されることとなる。
【００２８】
ところで、支持面１６上に落ちた水は、斜面１８を下って外側に流れて溝部２２で受けられ、さらに溝部２２の開口端２３から底部１１の底面側に流れ落ち、そこから排水口１５を通して外部に排水される。したがって、支持面１６の外側に外側リブ２１が突設され、支持面１６の内側に内側リブ２５が突設されているという事情があっても、上記のような排水口１５に至る流路が確保され、防水パン１０からの排水が円滑かつ良好になされる。この場合、支持面１６上のゴミが水とともに流され、流されたゴミが使用者の手がとどきやすい支持面１６の外側に集まるため、支持面１６の内側に集まるよりも、使用者がゴミを取り出して廃棄しやすくなる。
【００２９】
また、台座部１３が底部１１の四隅にのみ設けられ、底部１１には台座部１３以外の部分で大きなスペースが確保されるため、洗濯機６０から漏水した場合でも凹部１４の貯水容積を大きくとれて防水パン１０外に漏水し難く、かつ底部１１上における排水管等の取り回しが良好となる。
【００３０】
＜実施例２＞
次に、実施例２を図４によって説明する。実施例２に係る防水パン１０Ａでは、支持面１６Ａ及び内側リブ２５Ａの各形態、及び溝部２２が形成されていない点で実施例１とは異なる。その他は実施例１と同様であり、実施例１と同様の構造部位には同一符合を付し、重複する説明は省略する。
【００３１】
支持面１６Ａには、その外縁を頂部としてそこから内縁にかけて次第に下り勾配となる斜面１８Ａが形成されている。つまり、この支持面１６Ａは、実施例１における支持面１６とは逆向きの勾配をもっている。
【００３２】
内側リブ２５Ａは、支持面１６Ａの内側に突出するとともに、支持面１６Ａの内縁に沿って断続的に延びる形態とされ、全体として平面視略Ｌ字形をなしている。詳しくは内側リブ２５Ａは、支持面１６Ａの内側の一角とこれを挟む二辺とにまたがって配される複数の突片２５Ｂからなり、各突片２５Ｂ間には、斜面１８Ａの下り端に通じる切欠部２５Ｃが貫通して形成されている。切欠部２５Ｃの開口幅は、脚部６１の直径よりも小さくされている。
【００３３】
これによれば、支持面１６Ａの内側に内側リブ２５Ａが突設されているという事情があっても、支持面１６Ａ上に落ちた水は、斜面１８Ａを下ったあと切欠部２５Ｃを通って底部１１の底面側へ円滑かつ迅速に流れるから、水はけが良好となる。
【００３４】
＜実施例３＞
図５は、実施例３を示す。実施例３に係る防水パン１０Ｄでは、線状溝１７Ｄの形態と支持面１６Ｄが水平である点が実施形態１、２と異なるが、その他は実施形態２と同様である。
【００３５】
支持面１６Ｄには、底部１１の中心部に向けて互いに平行に延びるとともに、その延び方向の両端が開口する複数の線状溝１７が形成されている。これによれば、支持面１６上に落ちた水は、各線状溝１７を伝って底部１１側に誘導されるから、より良好な排水性が得られる。
【００３６】
＜実施例４＞
図６は、実施例４を示す。実施例４に係る防水パン１０Ｅでは、内側リブ２５の両端と側部１２との間に、通路部２９が開口して形成されている。そして、支持面１６Ｅには、底部１１の角部と中心部とを結ぶ方向に平行な方向であって支持面１６の対角線上に延びる稜線部２８が形成され、稜線部２８を挟んで両側に配される二面が通路部２９に向けて下り勾配で傾斜する斜面１８Ｅとされている。したがって、支持面１６Ｅ上に落ちた水は、斜面１８Ｅから通路部２９を経て底部１１の底面側へ円滑かつ迅速に流れるから、水はけが良好となる。
【００３７】
＜他の実施例＞
本発明は上記記述及び図面によって説明した実施例に限定されるものではなく、例えば次のような実施例も本発明の技術的範囲に含まれる。  
（１）台座部の形状は特に限定されず、例えば、台座部は、平面視三角形状又は平面視扇形状に形成されるものであってもよい。また、台座部は、底部の四隅に個別に設けられるのではなく、底部の外周部に周回して設けられるものであってもよい。  
（２）実施例１では、溝部の底面を開口端に向けて下り勾配とすることにより、溝部における滞水を防止するものであってもよい。  
（３）実施例１〜３では、切欠部が一つだけ形成されるものであってもよい。
（４）実施例２、３では、内側リブの両端が外側リブに一体に連結されていてもよい。  
（５）外側リブは、側部の他の部分から切り離されていてもよい。
（６）斜面は、支持面の一部、又は線状溝のみに形成されるものであってもよい。
【符号の説明】
【００３８】
１０、１０Ａ、１０Ｄ、１０Ｅ…洗濯機用防水パン
１１…底部
１２…側部
１３…台座部
１５…排水口
１６…支持面
１８、１８Ａ、１８Ｅ…斜面
２２…溝部
２５…内側リブ（リブ）
２５Ｃ…切欠部
２９…通路部 
【図１】
2010185251.tif 000003
【図２】
2010185251.tif 000004
【図３】
2010185251.tif 000005
【図４】
2010185251.tif 000006
【図５】
2010185251.tif 000007
【図６】
2010185251.tif 000008